(57)【要約】【課題】立体映像を視認する際の画質の違和感を低減することが可能な映像信号処理装置を提供する。【解決手段】プルダウン検出部４２Ｌ，４２Ｒにおいて、左視用，右視用のプルダウン検出処理を行う。また、同期制御部４３において、その検出結果信号ＪＬ，ＪＲに基づいて、デインタレース処理部４４Ｌで適用される左視用のデインタレース処理と、デインタレース処理部４４Ｒで適用される右視用のデインタレース処理とが、フィールド単位で同期して同一の処理を用いたものとなるように、デインタレース処理部４４Ｌ，４４Ｒに対する同期制御を行う。これにより、表示部４６により表示される左視用の映像と右視用の映像とにおいて、映像の質感の相違が低減もしくは回避される。【選択図】図１
2010226243.tif 000002
【特許請求の範囲】
【請求項１】
ビデオ信号またはプルダウン変換されたフィルム信号からなるインタレース信号であると共に左右の視差を有する第１および第２の入力映像信号のうちの少なくとも一方について、その入力映像信号が、前記ビデオ信号からなるインタレース信号および前記プルダウン変換されたフィルム信号からなるインタレース信号のうちのいずれかであるかをフィールド単位で判定する判定処理を行う判定部と、
前記第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一の処理を用いたものとなるように、前記判定部による判定結果に基づいて前記デインタレース処理部に対して同期制御を行う同期制御部と
を備えた映像信号処理装置。
【請求項２】
前記判定部は、前記第１および第２の入力映像信号の双方について個別に前記判定処理を行い、
前記同期制御部は、
前記第１および第２の入力映像信号の双方が前記プルダウン変換されたフィルム信号からなるインタレース信号であると判定されたときにのみ、前記第１および第２の入力映像信号に対して前記プルダウン逆変換処理を用いたデインタレース処理が適用されると共に、
それ以外の判定結果のときには、前記第１および第２の入力映像信号に対して前記補間処理を用いたデインタレース処理が適用されるように、前記同期制御を行う
請求項１に記載の映像信号処理装置。
【請求項３】
前記判定部は、前記第１および第２の入力映像信号の双方について個別に前記判定処理を行い、
前記同期制御部は、
前記第１および第２の入力映像信号のうちの少なくとも一方が前記プルダウン変換されたフィルム信号からなるインタレース信号であると判定されたときに、前記第１および第２の入力映像信号に対して前記プルダウン逆変換処理を用いたデインタレース処理が適用されると共に、
前記第１および第２の入力映像信号の双方が前記ビデオ信号からなるインタレース信号であると判定されたときにのみ、前記第１および第２の入力映像信号に対して前記補間処理を用いたデインタレース処理が適用されるように、前記同期制御を行う
請求項１に記載の映像信号処理装置。
【請求項４】
前記判定部は、前記第１および第２の入力映像信号のうちの一方の入力映像信号のみついて前記判定処理を行い、
前記同期制御部は、前記一方の入力映像信号が前記プルダウン変換されたフィルム信号からなるインタレース信号であると判定されたときには、前記第１および第２の入力映像信号に対して前記プルダウン逆変換処理を用いたデインタレース処理が適用されると共に、
前記一方の入力映像信号が前記ビデオ信号からなるインタレース信号であると判定されたときには、前記第１および第２の入力映像信号に対して前記補間処理を用いたデインタレース処理が適用されるように、前記同期制御を行う
請求項１に記載の映像信号処理装置。
【請求項５】
前記同期制御部は、前記第１および第２の入力映像信号について、
前記ビデオ信号からなるインタレース信号から、前記プルダウン変換されたフィルム信号からなるインタレース信号への切り換わり時である第１のタイミングと、
前記プルダウン変換されたフィルム信号からなるインタレース信号から、前記ビデオ信号からなるインタレース信号への切り換わり時である第２のタイミングと
の両方において、前記同期制御を行う
請求項１ないし請求項４のいずれか１項に記載の映像信号処理装置。
【請求項６】
前記同期制御部は、前記第１および第２のタイミングにおいて、前記同期制御の手法を任意に切り換え可能としている
請求項５に記載の映像信号処理装置。
【請求項７】
前記プルダウン変換されたフィルム信号からなるインタレース信号が、２４Ｐ、２５Ｐ、３０Ｐ、１２Ｐまたは８Ｐのプログレッシブ信号をプルダウン変換することにより得られたインタレース信号である
請求項１に記載の映像信号処理装置。
【請求項８】
ビデオ信号またはプルダウン変換されたフィルム信号からなるインタレース信号であると共に左右の視差を有する第１および第２の入力映像信号のうちの少なくとも一方について、その入力映像信号が、前記ビデオ信号からなるインタレース信号および前記プルダウン変換されたフィルム信号からなるインタレース信号のうちのいずれかであるかをフィールド単位で判定する判定処理を行う判定部と、
前記第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一の処理を用いたものとなるように、前記判定部による判定結果に基づいて前記デインタレース処理部に対して同期制御を行う同期制御部と、
前記第１の出力映像信号に基づく左視用の映像と、前記第２の出力映像信号に基づく右視用の映像とを、時分割で交互に表示する表示部と
を備えた立体映像表示装置。
【請求項９】
ビデオ信号またはプルダウン変換されたフィルム信号からなるインタレース信号であると共に左右の視差を有する第１および第２の入力映像信号を送信する送信装置と、
前記送信装置により送信された第１および第２の入力映像信号を受信すると共に、これらの第１および第２の入力映像信号に基づいて立体映像表示を行う立体映像表示装置と
を備え、
前記送信装置は、
前記第１の入力映像信号と前記第２の入力映像信号とを、時分割により前記立体映像表示装置へ送信する並列直列変換部を有し、
前記立体映像表示装置は、
前記送信装置から受信した入力映像信号を、第１の入力映像信号と第２の入力映像信号とに分離する直列並列変換部と、
前記シリパラ変換部から供給される第１および第２の入力映像信号のうちの少なくとも一方について、その入力映像信号が、前記ビデオ信号からなるインタレース信号および前記プルダウン変換されたフィルム信号からなるインタレース信号のうちのいずれかであるかをフィールド単位で判定する判定処理を行う判定部と、
前記シリパラ変換部から供給される第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理部と、
前記第１の入力映像信号に対して適用されるデインタレース処理と、前記第２の入力映像信号に対して適用されるデインタレース処理とが、フィールド単位で同期して同一の処理を用いたものとなるように、前記判定部による判定結果に基づいて前記デインタレース処理部に対して同期制御を行う同期制御部と、
前記第１の出力映像信号に基づく左視用の映像と、前記第２の出力映像信号に基づく右視用の映像とを、時分割で交互に表示する表示部と
を有する
立体映像伝送表示システム。
【請求項１０】
前記パラシリ変換部は、前記第１および第２の入力映像信号のそれぞれについて、第１および第２のフィールドの映像信号を時間軸に沿って連続させつつ、第１の入力映像信号と第２の入力映像信号とを時分割により交互に送信する
請求項９に記載の立体映像伝送表示システム。
【請求項１１】
ビデオ信号またはプルダウン変換されたフィルム信号からなるインタレース信号であると共に左右の視差を有する第１および第２の入力映像信号のうちの少なくとも一方について、その入力映像信号が、前記ビデオ信号からなるインタレース信号および前記プルダウン変換されたフィルム信号からなるインタレース信号のうちのいずれかであるかをフィールド単位で判定する判定ステップと、
前記第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理ステップと、
前記第１の入力映像信号に対して適用されるデインタレース処理と、前記第２の入力映像信号に対して適用されるデインタレース処理とが、フィールド単位で同期して同一の処理を用いたものとなるように、前記判定ステップにおける判定結果に基づいて同期制御を行う同期制御ステップと
を含む映像信号処理方法。
【発明の詳細な説明】
【技術分野】
【０００１】
本発明は、立体映像を表示する際に適用される映像信号処理装置および映像信号処理方法、並びにそのような映像信号処理装置を備えた立体映像表示装置および立体映像伝送表示システムに関する。
【背景技術】
【０００２】
従来より、様々な方式の立体映像表示システムが提案されている。そのうちの１つとして、左右の視差映像を用いたフィールドシーケンシャル（時分割）方式の立体映像表示システムが挙げられる（例えば、特許文献１参照）。
【０００３】
この方式の立体映像表示システムでは、左視用の映像と右視用の映像とを時分割で交互に表示することにより、立体映像を実現している。そして、視聴者は、左視用および右視用の映像にそれぞれ同期した開閉動作を行うシャッター付きのメガネ型遮断装置等を使いることにより、立体映像の視聴が可能となっている。
【先行技術文献】
【特許文献】
【０００４】
【特許文献１】特開２０００−２５８６９７号公報
【発明の概要】
【発明が解決しようとする課題】
【０００５】
ところで、このようなフィールドシーケンシャル方式の立体映像表示システムでは、従来、放送局等から受信したインタレース信号からなる映像信号に対してデインタレース処理を行う際に、プルダウン逆変換を用いたデインタレース処理を適用していなかった。ここで、プルダウン変換とは、プログレッシブ信号をインタレース信号に変換するＰＩ（ププログレッシブ／インタレース）変換のことである。具体的には、例えば、１枚の元画像から、ｅｖｅｎ（奇数）フィールドとｏｄｄ（偶数）フィールドとの２枚のインタレース信号（画像）へ変換することを、２−２プルダウン変換という。また、例えば、１枚の元画像から、２枚または３枚の交互の画像からなるインタレース信号に変換することを、２−３（または３−２）プルダウン変換という。このようなプルダウン変換により、例えばＮＴＳＣ（National Television Standards Committee）やＰＡＬ（Phase Alternation by Line）、ハイビジョン等のインタレース方式の信号に変換することが可能となっている。また、逆に、インタレース信号を元のプログレッシブ信号に変換するデインタレース処理は、プルダウン逆変換と呼ばれている。このプルダウン逆変換は、昨今の固定画素方式の液晶テレビ等の高画質化において不可欠な処理となっている。
【０００６】
ここで、上記したような左右の視差画像を用いたフィールドシーケンシャル（時分割）方式の立体映像表示システムにおいては、左視用の映像信号と右視用の映像信号とでそれぞれ独立に、プルダウン逆変換を用いたデインタレース処理を行うことが考えられる。ところが、左視用の映像と右視用の映像とでは、視差があり映像が異なることから、左視用の映像信号と右視用の映像信号とについて、デインタレース処理を行う際のプルダウン検出結果が同じになるとは限らない。すなわち、左視用および右視用の映像信号に適用されるデインタレース処理間で、プルダウン逆変換を用いたものと、ブルダウン逆変換を用いていないもの（例えば、ビデオ信号用のデインタレース処理）とに分かれてしまうおそれがある。そのような場合、左視用の映像と右視用の映像との質感が異なることになるため、立体映像の視聴者にとってストレスとなる（画質の違和感が大きくなる）と考えられる。
【０００７】
本発明はかかる問題点に鑑みてなされたもので、その目的は、立体映像を視認する際の画質の違和感を低減することが可能な映像信号処理装置、映像信号処理方法、立体映像表示装置および立体映像伝送表示システムを提供することにある。
【課題を解決するための手段】
【０００８】
本発明の映像信号処理装置は、ビデオ信号またはプルダウン変換されたフィルム信号からなるインタレース信号であると共に左右の視差を有する第１および第２の入力映像信号のうちの少なくとも一方について、その入力映像信号が、上記ビデオ信号からなるインタレース信号および上記プルダウン変換されたフィルム信号からなるインタレース信号のうちのいずれかであるかをフィールド単位で判定する判定処理を行う判定部と、第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理部と、第１の入力映像信号に対して適用されるデインタレース処理と、第２の入力映像信号に対して適用されるデインタレース処理とが、フィールド単位で同期して同一の処理を用いたものとなるように、判定部による判定結果に基づいてデインタレース処理部に対して同期制御を行う同期制御部とを備えたものである。
【０００９】
本発明の映像信号処理方法は、ビデオ信号またはプルダウン変換されたフィルム信号からなるインタレース信号であると共に左右の視差を有する第１および第２の入力映像信号のうちの少なくとも一方について、その入力映像信号が、上記ビデオ信号からなるインタレース信号および上記プルダウン変換されたフィルム信号からなるインタレース信号のうちのいずれかであるかをフィールド単位で判定する判定ステップと、第１および第２の入力映像信号に対してそれぞれ、ビデオ信号用の補間処理またはフィルム信号用のプルダウン逆変換処理を用いたデインタレース処理をフィールド単位で行うことにより、左右の視差を有するプログレッシブ信号である第１および第２の出力映像信号を生成するデインタレース処理ステップと、第１の入力映像信号に対して適用されるデインタレース処理と、第２の入力映像信号に対して適用されるデインタレース処理とが、フィールド単位で同期して同一の処理を用いたものとなるように、判定ステップにおける判定結果に基づいて同期制御を行う同期制御ステップとを含むようにしたものである。
【００１０】
本発明の立体映像表示装置は、上記判定部と、上記デインタレース処理部と、上記同期制御部と、上記第１の出力映像信号に基づく左視用の映像と上記第２の出力映像信号に基づく右視用の映像とを時分割で交互に表示する表示部とを備えたものである。
【００１１】
本発明の立体映像伝送表示システムは、ビデオ信号またはプルダウン変換されたフィルム信号からなるインタレース信号であると共に左右の視差を有する第１および第２の入力映像信号を送信する送信装置と、この送信装置により送信された第１および第２の入力映像信号を受信すると共に、これらの第１および第２の入力映像信号に基づいて立体映像表示を行う上記立体映像表示装置とを備え、上記送信装置が、第１の入力映像信号と第２の入力映像信号とを時分割により立体映像表示装置へ送信するパラシリ変換部を有するようにしたものである。
【００１２】
本発明の映像信号処理装置、映像信号処理方法、立体映像表示装置および立体映像伝送表示システムでは、上記第１および第２の入力映像信号のうちの少なくとも一方について、その入力映像信号が、上記ビデオ信号からなるインタレース信号および上記プルダウン変換されたフィルム信号からなるインタレース信号のうちのいずれかであるかが、フィールド単位で判定される。また、第１および第２の入力映像信号に対してそれぞれ、ビデオ信号用の補間処理またはフィルム信号用のプルダウン逆変換処理を用いたデインタレース処理がフィールド単位で行われることにより、上記第１および第２の出力映像信号が生成される。このとき、上記の判定結果に基づいて、第１の入力映像信号に対して適用されるデインタレース処理と第２の入力映像信号に対して適用されるデインタレース処理とが、フィールド単位で同期して同一の処理を用いたものとなるように、デインタレース処理に対する同期制御が行われる。これにより、上記第１の出力映像信号に基づく左視用の映像と上記第１の出力映像信号に基づく右視用の映像とにおいて、映像の質感の相違が低減される（好ましくは回避される）。
【発明の効果】
【００１３】
本発明の映像信号処理装置、映像信号処理方法、立体映像表示装置および立体映像伝送表示システムによれば、上記第１および第２の入力映像信号のうちの少なくとも一方について上記判定処理を行うと共に、その判定結果に基づいて、第１の入力映像信号に対して適用されるデインタレース処理と第２の入力映像信号に対して適用されるデインタレース処理とが、フィールド単位で同期して同一の処理を用いたものとなるように、デインタレース処理に対する同期制御を行うようにしたので、上記第１の出力映像信号に基づく左視用の映像と上記第１の出力映像信号に基づく右視用の映像とにおいて、映像の質感の相違を低減もしくは回避することができ、立体映像を視認する際の画質の違和感を低減することが可能となる。
【図面の簡単な説明】
【００１４】
【図１】本発明の一実施の形態に係る立体映像伝送表示システムの構成を表す機能ブロック図である。
【図２】図１に示した立体映像伝送表示システムにおいてビデオ信号を伝送する際の映像信号の処理の流れの一例を表すタイミング図である。
【図３】ビデオ信号に適用されるデインタレース処理の概要を説明するための模式図である。
【図４】ビデオ信号に適用されるデインタレース処理の概要を説明するための他の模式図である。
【図５】図１に示した立体映像伝送表示システムにおいてフィルム信号を伝送する際の映像信号の処理の流れの一例を表すタイミング図である。
【図６】フィルム信号に適用されるプルダウン処理およびデインタレース処理（プルダウン逆変換処理）の一例を説明するための模式図である。
【図７】フィルム信号に適用されるプルダウン処理およびデインタレース処理（プルダウン逆変換処理）の他の例を説明するための模式図である。
【図８】図１に示した立体映像伝送表示システムにおける立体映像表示動作について説明するための模式図である。
【図９】比較例に係る立体映像伝送表示システムの構成を表す機能ブロック図である。
【図１０】比較例に係るＬ用，Ｒ用映像のデインタレース処理について説明するためのタイミング図である。
【図１１】図１に示した立体映像伝送表示システムにおける同期制御処理およびデインタレース処理の一例を表す流れ図である。
【図１２】図１に示した立体映像伝送表示システムにおける同期制御処理およびデインタレース処理の他の例を表す流れ図である。
【図１３】図１１および図１２に示したＬ用，Ｒ用映像のデインタレース処理について説明するためのタイミング図である。
【図１４】本発明の変形例１に係る立体映像伝送表示システムの構成を表す機能ブロック図である。
【図１５】本発明の変形例２に係る立体映像伝送表示システムの構成を表す機能ブロック図である。
【図１６】変形例１に係る同期制御処理およびデインタレース処理を表す流れ図である。
【図１７】変形例２に係る同期制御処理およびデインタレース処理を表す流れ図である。
【図１８】変形例１，２に係るＬ用，Ｒ用映像のデインタレース処理について説明するためのタイミング図である。
【発明を実施するための形態】
【００１５】
以下、本発明の実施の形態について、図面を参照して詳細に説明する。なお、説明は以下の順序で行う。
１．実施の形態（デインタレース処理において同期制御処理を適用した場合）
２．変形例（変形例１，２；Ｌ，Ｒ用のプルダウン検出処理の一方を他方で代用させた場合）
【００１６】
＜１．実施の形態＞
［立体映像伝送表示システムの全体構成例］
図１は、本発明の一実施の形態に係る立体映像伝送表示システム１の機能ブロック構成を表すものである。この立体映像伝送表示システム１は、立体映像の生成、伝送（送信）および表示を行うものであり、立体映像の生成および送信を行う部分である送信装置２と、立体映像の表示を行う部分である立体映像表示システム３とを備えている。また、この立体映像表示システム３は、フィールドシーケンシャル（時間的直列）方式の立体映像表示システムであり、本発明の一実施の形態に係る立体映像表示装置（表示装置４）と、シャッター付メガネ（眼鏡）５とを有している。なお、本発明の一実施の形態に係る映像信号処理方法は、この表示装置４内において具現化されるため、以下併せて説明する。
【００１７】
（送信装置２）
送信装置２は、立体映像に対応する伝送信号Ｄ０ｉを生成して表示装置４へ伝送するものであり、撮像部２１Ｌ，２１Ｒと、フィルム信号源２２と、プルダウン処理部２３と、パラシリ変換部２４とを有している。
【００１８】
撮像部２１Ｌは、被写体（図示せず）を撮像することにより、立体映像における左視用の映像信号であると共にインタレース信号からなるビデオ信号ＶＬｉを生成するものである。撮像部２１Ｒは、被写体を撮像することにより、立体映像における右視用の映像信号であると共にインタレース信号からなるビデオ信号ＶＲｉを生成するものである。すなわち、これら撮像部２１Ｌ，２１Ｒは、例えばインタレースカメラにより構成されている。また、生成されたビデオ信号ＶＬｉ，ＶＲｉは、互いに左右の視差を有する映像信号となっている。
【００１９】
フィルム信号源２２は、立体映像における左視用，右視用の映像信号であると共にプログレッシブ信号からなるフィルム信号ＦＬｐ，ＦＲｐをそれぞれ出力するものである。これらのフィルム信号ＦＬｐ，ＦＲｐは、互いに左右の視差を有する映像信号となっている。なお、このようなフィルム信号源２２は、例えば、Ｆｉｌｍカメラ、プログレシブ出力対応ビデオカメラ、ＣＧ（コンピュータグラフィック）画像などにより構成されている。
【００２０】
プルダウン処理部２３は、フィルム信号源２２から入力したフィルム信号ＦＬｐ，ＦＲｐに対してそれぞれプルダウン変換を施すことにより、左視用，右視用の映像信号であると共にインタレース信号からなるフィルム信号ＦＬｉ，ＦＲｉを出力するものである。このようなプルダウン変換としては、例えば、２４Ｐ素材（２４（フレーム／秒）のプログレッシブ信号）を６０Ｉ（６０（フィールド／秒）のインタレース信号）に変換する２−３（または３−２）プルダウン変換が挙げられる。また、他の例としては、３０Ｐ素材を６０Ｉに変換する２−２プルダウン変換や、２５Ｐ素材を５０Ｉに変換する２−２プルダウン変換、１２Ｐ素材を６０Ｉに変換する４−６プルダウン変換、８Ｐ素材を６０Ｉに変換する７−８プルダウン変換などが挙げられる。なお、本実施の形態では、以下、基本的に２−３プルダウン変換を行う場合について説明する。
【００２１】
パラシリ変換部２４は、撮像部２１Ｌ，２１Ｒから時間的並列（パラレル）に入力したビデオ信号ＶＬｉ，ＶＲｉと、プルダウン処理部２３からパラレルに入力したフィルム信号ＦＬｉ，ＦＲｉとのうちの一方を、伝送データＤ０ｉとして表示装置４へ送信するものである。この際、パラシリ変換部２４は、左視用のビデオ信号ＶＬｉまたはフィルム信号ＦＬｉと、右視用のビデオ信号ＶＲｉまたはフィルム信号ＦＲｉとを、時間的直列（シリアル）にする（パラレル／シリアル変換を行う）ことにより、伝送データＤ０ｉを生成する。
【００２２】
（表示装置４）
表示装置４は、送信装置２から伝送された伝送データＤ０ｉを受信すると共に、この伝送信号Ｄ０ｉに基づいて立体映像表示を行うものである。この表示装置４は、シリパラ変換部４１と、プルダウン検出部４２Ｌ，４２Ｒと、同期制御部４３と、デインタレース処理部４４Ｌ，４４Ｒと、表示制御部４５と、表示部４６とを有している。
【００２３】
シリパラ変換部４１は、送信装置２から伝送された伝送データＤ０ｉを受信すると共に、この伝送データＤ０ｉに対してシリアル／パラレル変換を行うものである。このシリパラ変換部４１は、シリパラ分離部４１１と、フィールドメモリ４１２Ｌ，４１３Ｌ，４１４Ｌと、フィールドメモリ４１２Ｒ，４１３Ｒ，４１４Ｒとを有している。
【００２４】
シリパラ分離部４１１は、送信装置２から伝送された伝送データＤ０ｉを受信すると共に、この伝送データＤ０ｉを、左視用の映像信号Ｄ１Ｌｉと右視用の映像信号Ｄ１Ｒｉとに分離するものである。なお、これらの映像信号Ｄ１Ｌｉ，Ｄ１Ｒｉは、いずれも、ビデオ信号またはフィルム信号からなるインタレース信号である。このシリパラ分離部４１１は、このような分離処理の際には、伝送データＤ０ｉがシリアル信号にエンコードされているはずであるため、その情報を基にデコードして分離を行う。
【００２５】
フィールドメモリ４１２Ｌ，４１３Ｌ，４１４Ｌは、左視用の映像信号Ｄ１Ｌｉを随時記憶しておくためのメモリであり、フィールドメモリ４１２Ｒ，４１３Ｒ，４１４Ｒは、右視用の映像信号Ｄ１Ｒｉを随時記憶しておくためのメモリである。ここでは、後述するデインタレース処理部４４Ｌ，４４Ｒにおいて２−３プルダウン逆変換を用いたデインタレース処理を行う場合を想定し、左視用および右視用とも、３フィールド分のフィールドメモリが設けられているものとする。なお、例えば５−５プルダウン逆変換や７−８プルダウン逆変換を用いたデインタレース処理を行う場合には、更に多くのフィールドメモリを設ける必要がある。また、フィールドメモリ４１２Ｌ，４１２Ｒからは、現在のフィールド（最も新しいフィールド；以下同様）の映像信号が出力されるようになっている。そして、フィールドメモリ４１３Ｌ，４１３Ｒからは、１つ前（過去１）のフィールドの映像信号が出力され、フィールドメモリ４１４Ｌ，４１４Ｒからは、２つ前（過去２）のフィールドの映像信号が出力されるようになっている。
【００２６】
プルダウン検出部４２Ｌは、フィールドメモリ４１２Ｌ，４１３Ｌ，４１４Ｌから出力される、左視用における現在、過去１および過去２の各映像信号に基づいて所定のプルダウン検出処理を行い、その検出結果信号ＪＬを同期制御部４３へ出力するものである。プルダウン検出部４２Ｒは、フィールドメモリ４１２Ｒ，４１３Ｒ，４１４Ｒから出力される、右視用における現在、過去１および過去２の各映像信号に基づいて所定のプルダウン検出処理を行い、その検出結果信号ＪＲを同期制御部４３へ出力するものである。具体的には、これらプルダウン検出部４２Ｌ，４４Ｒは、上記の各フィールド分の映像信号から、例えば３−２プルダウンや２−２プルダウン等を検出することにより、処理対象のフィールドが、フィルム映像由来のフィールドであるか否かを検出する。言い換えると、処理対象の映像信号が、ビデオ信号からなるインタレース信号と、プルダウン変換されたフィルム信号からなるインタレース信号とのうちのいずれかであるかを、フィールド単位で判定する判定処理を行っている。このような検出処理（判定処理）の際には、プルダウン変換によってインタレース信号に変換された部分のフィールドである場合、同じフレームに由来するフィールドが隣接フィールドに必ず存在することから、それを利用して行うようになっている。具体的には、例えば、フィールド間の動き（フィールド間の相関）の有無に基づいてフィールドのシーケンスを検出することによって、３−２プルダウンや２−２プルダウン等を検出することが可能となっている。
【００２７】
デインタレース処理部４４Ｌは、フィールドメモリ４１２Ｌ，４１３Ｌ，４１４Ｌから出力される、左視用における現在、過去１および過去２の各映像信号を用いて、右視用の映像信号に対するデインタレース処理をフィールド単位で行うものである。デインタレース処理部４４Ｒは、フィールドメモリ４１２Ｒ，４１３Ｒ，４１４Ｒから出力される、右視用における現在、過去１および過去２の各映像信号を用いて、左視用の映像信号に対するデインタレース処理をフィールド単位で行うものである。具体的には、これらデインタレース処理部４４Ｌ，４４Ｒは、ビデオ信号用の補間処理またはフィルム信号用のプルダウン逆変換処理を用いたデインタレース処理を行い、左視用，右視用のプログレッシブ信号である映像信号Ｄ２Ｌｐ，Ｄ２Ｒｐを生成している。
【００２８】
この際、ビデオ信号用の補間処理を用いたデインタレース処理を行う場合には、所定の動き検出結果に基づいてフィールド間補間処理またはフィールド内補間処理を行うことにより、プログレッシブ信号を生成する。具体的には、映像が静止している場合には、前後フィールドの画素の平均値を新しい画素とするフィールド間補間を行うことによって、新しい走査線を生成する。また、映像が動いている場合には、上下の画素の平均値を新しい画素とするフィールド内補間を行うことによって、新しい走査線を生成する。一方、フィルム信号用のプルダウン逆変換処理を用いたデインタレース処理を行う場合には、同じフレームに由来するフィールドが隣接フィールドに必ず存在するため、それを利用してプログレッシブ信号を生成する。
【００２９】
同期制御部４３は、デインタレース処理部４４Ｌで適用される左視用のデインタレース処理と、デインタレース処理部４４Ｒで適用される右視用のデインタレース処理とが、フィールド単位で同期して同一の処理を用いたものとなるように同期制御を行うものである。具体的には、プルダウン検出部４４Ｌ，４４Ｒから出力される検出結果信号ＪＬ，ＪＲに基づいて、左視用，右視用で同じ種類のデインタレース処理（ビデオ信号用の補間処理またはフィルム信号用のプルダウン逆変換処理によるもの）がなされるように制御している。このような同期制御は、デインタレース処理部４４Ｌ，４４Ｒに対して同期制御信号ＳＬ，ＳＲがそれぞれ出力されることにより、実現されている。なお、この同期制御部４３の詳細動作については後述する。
【００３０】
表示制御部４５は、表示部４６に対して表示制御用の信号を出力するものである。また、この表示制御部４５は、後述するシャッター付きメガネ５に対して、左視用，右視用の映像の表示タイミングと同期したシャッターのタイミング制御信号（制御信号ＣＴＬ）を出力するようになっている。なお、この制御信号ＣＴＬは、ここでは例えば赤外線信号等の無線信号であるものとして示しているが、有線信号であってもよい。
【００３１】
表示部４６は、デインタレース処理部４４Ｌから出力される映像信号Ｄ２Ｌｐに基づく左視用の映像と、デインタレース処理部４４Ｒから出力される映像信号Ｄ２Ｒｐに基づく右視用の映像とを、時分割で交互に表示するものである。すなわち、この表示部４６は、立体映像表示のためのフィールドシーケンシャル表示を行うようになっている。このような表示部４６としては、例えば、ＬＣＤ（Liquid Crystal Display）やＰＤＰ（Plasma Display Panel）、有機ＥＬ（Electro Luminescence）ディスプレイなどの各種のディスプレイを用いることができる。
【００３２】
（シャッター付メガネ５）
シャッター付メガネ５は、表示装置４の視聴者（図１において図示せず）が用いることにより立体映像の視聴を可能とするものであり、左視用レンズ５Ｌおよび右視用レンズ５Ｒを含んで構成されている。
【００３３】
左視用レンズ５Ｌおよび右視用レンズ５Ｒはそれぞれ、例えば液晶シャッターなどの遮光シャッターを有している。これらの遮光シャッターの遮光機能の有効・無効動作は、表示制御部４５から供給される制御信号ＣＴＬにより、任意に制御されるようになっている。
【００３４】
ここで、表示装置４が、本発明における「立体映像表示装置」の一具体例に対応する。また、プルダウン検出部４２Ｌ，４２Ｒ、デインタレース処理部４４Ｌ，４４Ｒおよび同期制御部４３が、本発明における「映像信号処理装置」の一具体例に対応する。また、プルダウン検出部４２Ｌ，４２Ｒが、本発明における「判定部」の一具体例に対応する。また、ビデオ信号ＶＬｉもしくはフィルム信号ＦＬｉ、および映像信号Ｄ１Ｌｉが、本発明における「第１の入力映像信号」の一具体例に対応する。また、ビデオ信号ＶＲｉもしくはフィルム信号ＦＲｉ、および映像信号Ｄ１Ｒｉが、本発明における「第２の入力映像信号」の一具体例に対応する。また、映像信号Ｄ２Ｌｐが本発明における「第１の出力映像信号」の一具体例に対応し、映像信号Ｄ２Ｒｐが本発明における「第２の出力映像信号」の一具体例に対応する。
【００３５】
［立体映像表示システムの作用・効果］
次に、本実施の形態の立体映像伝送表示システム１の作用および効果について説明する。
【００３６】
最初に、図１〜図８を参照して、立体映像伝送表示システム１の基本動作について説明する。
【００３７】
（ビデオ信号を伝送する場合の処理の流れ）
図２は、立体映像伝送表示システム１においてビデオ信号を伝送する際の映像信号の処理の流れの一例をタイミング図で表したものである。この図２において、（Ｃ），（Ｄ）は、撮像部２１Ｌ，２１Ｒから出力されるビデオ信号ＶＬｉ，ＶＲｉを、（Ｅ）は、送信装置２から表示装置４へ伝送される伝送信号Ｄ０ｉを示している。また、（Ｆ），（Ｇ）は、シリパラ分離部４１１から出力される映像信号Ｄ１Ｌｉ，Ｄ１Ｒｉを、（Ｈ），（Ｉ）は、デインタレース処理部４４Ｌ，４４Ｒから出力される映像信号Ｄ２Ｌｐ，Ｄ２Ｒｐを示している。なお、図２（Ａ），（Ｂ）はそれぞれ、参考として、ビデオ信号ＶＬｉ，ＶＲｉの基となるプログレッシブ信号である左視用，右視用のビデオ信号ＶＬｐ，ＶＲｐを想定して示している。また、図中の「Ｌ１」〜「Ｌ４」，「Ｒ１」〜「Ｒ４」はそれぞれ、左視用，右視用における互いに異なるフレームのビデオ信号を示している。また、この図２および後述する図５において、各信号における絶対的な時間軸は互いに一致はしていないものとする。
【００３８】
この場合、立体映像伝送表示システム１では、送信装置２内の撮像部２１Ｌ，２１Ｒにおいて被写体（図示せず）が撮像されると、ビデオ信号ＶＬｉ，ＶＲｉが生成される。そして、パラシリ変換部２４では、このようなビデオ信号ＶＬｉ，ＶＲｉに対してパラレル／シリアル変換を行うことにより、伝送データＤ０ｉを生成する。これにより、左視用のビデオ信号ＶＬｉと右視用のビデオ信号ＶＲｉとが、時分割によって表示装置４内のシリパラ分離部４１１へ送信される。
【００３９】
このとき、パラシリ変換部２４は、第１および第２のフィールドのビデオ信号を時間軸に沿って連続させつつ、左視用のビデオ信号ＶＬｉと右視用のビデオ信号ＶＲｉとを時分割により交互に送信している。具体的には、伝送データＤ０ｉ（図２（Ｅ））では、「Ｌ１−１ｓｔ interlace」→「Ｌ１−２ｎｄ interlace」→「Ｒ１−１ｓｔ interlace」→「Ｒ１−２ｎｄ interlace」→「Ｌ２−１ｓｔ interlace」→「Ｌ２−２ｎｄ interlace」→…の順に伝送されている。これは、第１のフィールドと第２のフィールドとでは、垂直方向にサンプリング位置の位相ずれがあるため、左視用のフィールド信号と右視用のフィールド信号とを交互に伝送することが困難であるからである。
【００４０】
次に、表示装置４内のシリパラ分離部４１１では、送信装置２内のパラシリ変換部２４から伝送された伝送データＤ０ｉを受信してシリアル／パラレル変換を行い、左視用，右視用の映像信号をフィールドメモリ４１２Ｌ，４１２Ｒ等に供給する。
【００４１】
次に、プルダウン検出部４２Ｌ，４２Ｒでは、フィールドメモリ４１２Ｌ，４１２Ｒ等から供給される３フィールド分の映像信号を用いて、処理対象のフィールドがフィルム映像由来のフィールドであるか否かを検出する。ここでは、処理対象のフィールドが、フィルム映像由来のフィールドではない（ビデオ信号からなるインタレース信号である）と判定されることになる。
【００４２】
そして、デインタレース処理部４４Ｌ，４４Ｒでは、例えば図３および図４に示したようにしてビデオ信号用の補間処理を用いたデインタレース処理を行うことにより、プログレッシブ信号からなる映像信号Ｄ２Ｌｐ，Ｄ２Ｒｐを生成する。ここで、図３は、走査線構造を示す図であり、（Ａ）はインタレース信号を、（Ｂ）はプログレッシブ信号を、（Ｃ）は走査線の補間処理によってインタレース信号をプログレッシブ信号に変換した信号を示している。なお、図３中の「○」印は走査線を示し、「×」印は補間された走査線を示している。また、垂直方向は画面の垂直方向Ｖを示し、水平方向は時間方向ｔを示している。
【００４３】
インタレース信号は、図３（Ａ）に示すように、１つのフレームが時間方向ｔおよび垂直方向Ｖにずれた２つのフィールドで構成されている。これに対して、プログレッシブ信号は、図３（Ｂ）に示すように、走査線構造にずれがない。そして、図３（Ｃ）に示すように、インタレースで間引かれている部分の走査線を周囲の走査線で補間することにより、プログレッシブ信号に変換している。具体的には、図４に示すように、映像が静止している場合には、前後フィールドの画素を表す信号ＰＡ，ＰＢの平均値を「×」印で示す新しい画素を表す信号ＰＱとするフィールド間補間を行うことによって、新しい走査線を生成する。一方、映像が動いている場合には、上下の画素を表す信号ＰＣ，ＰＤの平均値を「×」印で示す新しい画素を表す信号ＰＱとするフィールド内補間を行うことによって、新しい走査線を生成する。
【００４４】
（フィルム信号を伝送する場合の処理の流れ）
次に、図５は、立体映像伝送表示システム１においてフィルム信号を伝送する際の映像信号の処理の流れの一例をタイミング図で表したものである。ここでは、２４Ｐ素材のフィルム映像を基に２−３プルダウン変換および２−３プルダウン逆変換等を行う場合について説明する。この図５において、（Ａ），（Ｂ）は、フィルム信号源２２から出力されるフィルム信号ＦＬｐ，ＦＲｐを、（Ｃ），（Ｄ）は、プルダウン処理部２３から出力されるフィルム信号ＦＬｉ，ＦＲｉを、（Ｅ）は、送信装置２から表示装置４へ伝送される伝送信号Ｄ０ｉを示している。また、（Ｆ），（Ｇ）は、シリパラ分離部４１１から出力される映像信号Ｄ１Ｌｉ，Ｄ１Ｒｉを、（Ｈ），（Ｉ）は、デインタレース処理部４４Ｌ，４４Ｒから出力される映像信号Ｄ２Ｌｐ，Ｄ２Ｒｐを示している。なお、図中の「ＬＡ」〜「ＬＤ」，「ＲＡ」〜「ＲＤ」はそれぞれ、左視用，右視用における互いに異なるフレームのフィルム信号を示している。これらのうち、説明用の画像として、「ＬＢ」を灰色で表示している。
【００４５】
この場合、立体映像伝送表示システム１では、送信装置２内のプルダウン処理部２３において、フィルム信号源２２から入力したフィルム信号ＦＬｐ，ＦＲｐに対してそれぞれ２−３プルダウン変換を施すことにより、フィルム信号ＦＬｉ，ＦＲｉを生成する。すなわち、２４Ｐ素材のフィルム信号ＦＬｐ，ＦＲｐに基づいて、６０Ｉ素材のフィルム信号ＦＬｉ，ＦＲｉが生成される。そして、パラシリ変換部２４では、このようなフィルム信号ＦＬｉ，ＦＲｉに対してパラレル／シリアル変換を行うことにより、伝送データＤ０ｉを生成する。これにより、左視用のフィルム信号ＦＬｉと右視用のフィルム信号ＦＲｉとが、時分割によって表示装置４内のシリパラ分離部４１１へ送信される。
【００４６】
このとき、前述したビデオ信号の場合と同様に、パラシリ変換部２４は、第１および第２のフィールドのフィルム信号を時間軸に沿って連続させつつ、左視用のフィルム信号ＦＬｉと右視用のフィルム信号ＦＲｉとを時分割により交互に送信している。具体的には、伝送データＤ０ｉ（図５（Ｅ））では、「ＬＡ−１ｓｔ interlace」→「ＬＡ−２ｎｄ interlace」→「ＲＡ−１ｓｔ interlace」→「ＲＡ−２ｎｄ interlace」→「ＬＢ−１ｓｔ interlace」→「ＬＢ−２ｎｄ interlace」→…の順に伝送されている。ただし、ここでは伝送データＤ０ｉは２−３プルダウン変換により生成されたインタレース信号であることから、必ずしも同じチャンネル（左視用または右視用）の映像信号の組とはなっていない。例えば、図中の灰色で示したように、「ＬＢ−１ｓｔ interlace」→「ＬＢ−２ｎｄ interlace」→…→「ＬＢ−１ｓｔ interlace」→「ＬＣ−２ｎｄ interlace」の順に伝送されている。
【００４７】
次に、表示装置４内のシリパラ分離部４１１では、上記フィルム信号の場合と同様に、伝送データＤ０ｉを受信してシリアル／パラレル変換を行い、左視用，右視用の映像信号をフィールドメモリ４１２Ｌ，４１２Ｒ等に供給する。そして、プルダウン検出部４２Ｌ，４２Ｒにおいて、処理対象のフィールドがフィルム映像由来のフィールドであるか否かを検出する。ここでは、処理対象のフィールドが、フィルム映像由来のフィールドである（フィルム信号からなるインタレース信号である）と判定されることになる。
【００４８】
次に、デインタレース処理部４４Ｌ，４４Ｒでは、例えば図６または図７に示したようにして、フィルム信号用のプルダウン逆変換処理を用いたデインタレース処理を行うことにより、プログレッシブ信号からなる映像信号Ｄ２Ｌｐ，Ｄ２Ｒｐを生成する。
【００４９】
具体的には、図６（Ａ）〜（Ｃ）では、２４Ｐ素材の映像信号ＦＬｐ，ＦＲｐに対して２−３プルダウン変換処理を行うことにより、６０Ｉ素材の映像信号ＦＬｉ，ＦＲｉを生成している。また、この６０Ｉ素材の映像信号ＦＬｉ，ＦＲｉに対して２−３プルダウン逆変換処理を行うことにより、６０Ｐ素材の映像信号Ｄ２Ｌｐ，Ｄ２Ｒｐを生成している。なお、図中の「Ａ」〜「Ｄ」はフレーム信号を、「ａ」〜「ｄ」，「ａ’」〜「ｄ’」はフィールド信号を示し、符号「’」の有無は奇数（第１の）フィールドと偶数（第２の）フィールドとの違いを示している。
【００５０】
一方、図７（Ａ）〜（Ｃ）では、３０Ｐ素材の映像信号ＦＬｐ，ＦＲｐに対して２−２プルダウン変換処理を行うことにより、６０Ｉ素材の映像信号ＦＬｉ，ＦＲｉを生成している。また、この６０Ｉ素材の映像信号ＦＬｉ，ＦＲｉに対して２−３プルダウン逆変換処理を行うことにより、６０Ｐ素材の映像信号Ｄ２Ｌｐ，Ｄ２Ｒｐを生成している。
【００５１】
（立体映像表示動作）
次に、図２〜図４に示したビデオ信号の場合および図５〜図７に示したフィルム信号の場合とも、デインタレース処理部４４Ｌ，４４Ｒにおいて生成された映像信号Ｄ２Ｌｐ，Ｄ２Ｒｐはそれぞれ、表示部４６へ供給される。そして表示部４６では、表示制御部４５から出力される表示制御信号に応じて、これらの映像信号Ｄ２Ｌｐ，Ｄ２Ｒｐに基づく表示動作を行う。具体的には、映像信号Ｄ２Ｌｐに基づく左視用の映像（図８（Ａ）中の映像「Ｌ」参照）と、映像信号Ｄ２Ｒｐに基づく右視用の映像（図８（Ｂ）中の映像「Ｒ」参照）とを、時分割で交互に表示する（フィールドシーケンシャル表示を行う）。
【００５２】
この際、例えば図８（Ａ）に示したように、左視用の映像表示のときには、制御信号ＣＴＬにより、視聴者６が用いるシャッター付きメガネ５において、右視用レンズ５Ｒにおける遮光機能が有効状態となると共に左視用レンズ５Ｌにおける遮光機能が無効状態となる。一方、例えば図８（Ｂ）に示したように、右視用の映像表示のときには、制御信号ＣＴＬにより、左視用レンズ５Ｌにおける遮光機能が有効状態となると共に右視用レンズ５Ｒにおける遮光機能が無効状態となる。そして、このような状態が交互に繰り返されることにより、視聴者６は立体映像の視聴が可能となる。
【００５３】
（同期制御処理を用いたデインタレース処理）
次に、図１〜図８に加えて図９〜図１３を参照して、本発明の特徴的部分の１つである、同期制御処理を用いたデインタレース処理について、比較例と比較しつつ詳細に説明する。
【００５４】
ここで最初に、図２〜図４において説明したビデオ信号用のデインタレース処理と、図５〜図７において説明したフィルム信号用のプルダウン逆変換を用いたデインタレース処理とにおける、生成された映像信号Ｄ２Ｌ，Ｄ２Ｒによる表示画質の違いについて説明する。
【００５５】
図２〜図４に示したビデオ信号用のデインタレース処理では、前述したように、映像が動いている場合には、上下の画素を表す信号ＰＣ，ＰＤの平均値を「×」印で示す新しい画素を表す信号ＰＱとするフィールド内補間を行うことにより、新しい走査線を生成する。このため、映像が静止している場合には、折り返し歪みが少なく解像度も高い良好な変換画質が得られるが、映像が動いている場合には、折り返し歪みが多く解像度も低い劣化した変換画質となってしまう。
【００５６】
一方、図５〜図７に示したフィルム信号用のプルダウン逆変換を用いたデインタレース処理では、例えば２−３プルダウンの場合を例に挙げると、元々同じフレームであった映像が、２または３フィールドに振り分けられていることになる。したがって、２−３パターンや２−２パターン等のプルダウンのシーケンスが分かれば、同じフレームから生成された隣接フィールド間において、映像の静止・動きに関係なくフィールド内挿補間処理を行うことにより、ログレッシブ信号に変換することができる。ここで、このフィールド内挿補間処理は、補間方法は異なるが、図４に示したフィールド間補間処理と同様に、前フィールドの信号ＰＡまたは後フィールドの信号ＰＢを新しい画素を表す信号ＰＱとすることによって、新しい走査線を生成するものである。このため、このようなフィルム信号用のプルダウン逆変換を用いたデインタレース処理では、折り返し歪みが少なく解像度も高い良好な変換画質が得られる。
【００５７】
ここで、本実施の形態の立体映像伝送表示システム１では、前述したように、伝送データＤ０ｉにおいて、左視用のフィルム信号ＦＬｉと右視用のフィルム信号ＦＲｉとを時分割により交互に伝送している。したがって、プルダウン検出部４２Ｌ，４２Ｒにおいて、処理対象のフィールドがフィルム映像由来のフィールドであるか否かを画像相関により判定した場合、必然的に、左視用，右視用の映像信号間で、検出処理（判定処理）タイミングのずれが生じてしまう。
【００５８】
このような理由から、図９に示したような比較例に係る立体映像伝送表示システム１０１（立体映像表示システム１０３および表示装置１０４内に、同期制御部４３が設けられていない）では、以下のような問題が生ずることになる。
【００５９】
すなわち、この比較例に係る立体映像伝送表示システム１０１では、デインタレース処理部４４Ｌ，４４Ｒにおいて、左視用の映像信号と右視用の映像信号とでそれぞれ独立に、プルダウン逆変換を用いたデインタレース処理を行うことになる。ところが、左視用の映像と右視用の映像とでは、視差があり映像が異なることから、左視用の映像信号と右視用の映像信号とについて、デインタレース処理を行う際のプルダウン検出結果が同じになるとは限らない。すなわち、左視用および右視用の映像信号に適用されるデインタレース処理間で、プルダウン逆変換を用いたものと、ブルダウン逆変換を用いていないもの（例えば、ビデオ信号用のデインタレース処理）とに分かれてしまうおそれがある。
【００６０】
具体的には、例えば図１０（Ａ），（Ｂ）に示したようにして、Ｌ用（左視用）映像とＲ用（右視用）映像との間で、異なる種類のデインタレース処理を行う期間が生ずる場合がある。ここでは、例えば、タイミングｔ１０１〜ｔ１０２の期間Δｔ１０１およびタイミングｔ１０３〜ｔ１０４の期間Δｔ１０２が相当する。そして、そのような場合、左視用の映像と右視用の映像との質感が異なることになるため、立体映像の視聴者にとってストレスとなってしまう（画質の違和感が大きくなる）。なお、図中の「Ｖ」は、ビデオ信号に基づくＬ用またはＲ用の映像表示を行っている期間であることを、図中の「Ｆ」は、フィルム信号に基づくＬ用またはＲ用の映像表示を行っている期間であることを、それぞれ示しており、以下同様である。また、ここでは、Ｌ用映像→Ｒ用映像の順に、ビデオ信号からフィルム信号へ切り換わると共に、フィルム信号からビデオ信号へ切り換わっているだが、逆にＲ用映像→Ｌ用映像の順となっていてもよく、以下同様である。
【００６１】
これに対して、本実施の形態の立体映像伝送表示システム１では、同期制御部４３において、プルダウン検出部４４Ｌ，４４Ｒから出力される検出結果信号ＪＬ，ＪＲに基づいて、デインタレース処理部４４Ｌ，４４Ｒに対して同期制御を行っている。具体的には、デインタレース処理部４４Ｌで適用される左視用のデインタレース処理と、デインタレース処理部４４Ｒで適用される右視用のデインタレース処理とが、フィールド単位で同期して同一の処理を用いたものとなるように同期制御を行う。なお、ここでいう同じ種類のデインタレース処理とは、前述したビデオ信号用の補間処理またはフィルム信号用のプルダウン逆変換処理を用いたデインタレース処理のことである。
【００６２】
より具体的には、同期制御部４３およびデインタレース処理部４４Ｌ，４４Ｒでは、例えば図１１または図１２に示したようにして、同期制御処理およびデインタレース処理を行っている。すなわち、まず、このような同期制御処理は、ビデオ信号（Ｖ）からフィルム信号（Ｆ）へ切り換わり時（第１のタイミング）と、フィルム信号からビデオ信号へ切り換わり時（第２のタイミング）との両方において、行われている。
【００６３】
そして、図１１に示した同期制御処理およびデインタレース処理では、まず、同期制御部４３において、プルダウン検出部４２Ｌ，４２Ｒからの検出結果信号ＪＬ，ＪＲの両方が「フィルム信号である」との判断結果であるか否かを判断する（ステップＳ１１）。そして、検出結果信号ＪＬ，ＪＲの両方が「フィルム信号である」との判断結果である場合にのみ（ステップＳ１１：Ｙ）、Ｌｃｈ（左視用），Ｒｃｈ（右視用）の両方において、プルダウン逆変換を用いたデインタレース処理を行う（ステップＳ１２）。一方、それ以外の判定結果のときには（ステップＳ１１：Ｎ）、Ｌｃｈ，Ｒｃｈの両方において、ビデオ信号用の補間処理を用いたデインタレース処理を行う（ステップＳ１３）。
【００６４】
一方、図１２に示した同期制御処理およびデインタレース処理では、まず、プルダウン検出部４２Ｌ，４２Ｒからの検出結果信号ＪＬ，ＪＲの少なくとも一方が「フィルム信号である」との判断結果であるか否かを判断する（ステップＳ２１）。そして、検出結果信号ＪＬ，ＪＲの少なくとも一方が「フィルム信号である」との判断結果である場合には（ステップＳ２１：Ｙ）、Ｌｃｈ，Ｒｃｈの両方において、プルダウン逆変換を用いたデインタレース処理を行う（ステップＳ２２）。一方、検出結果信号ＪＬ，ＪＲの両方が「ビデオ信号である」との判断結果である場合にのみ（ステップＳ２１：Ｎ）、Ｌｃｈ，Ｒｃｈの両方において、ビデオ信号用の補間処理を用いたデインタレース処理を行う（ステップＳ２３）。
【００６５】
そして、これらの同期制御処理およびデインタレース処理により、本実施の形態では、例えば図１３に示したようにして、左視用，右視用のデインタレース処理がなされる。なお、図１３（Ｃ），（Ｄ）において、「Ｖ」は、ビデオ信号用のデインタレース処理を行っている期間であることを、「Ｆ」は、フィルム信号用のプルダウン逆変換を用いたデインタレース処理を行っている期間であることをそれぞれ示しており、以下同様である。
【００６６】
すなわち、本実施の形態では、デインタレース処理部４４Ｌで適用される左視用のデインタレース処理と、デインタレース処理部４４Ｒで適用される右視用のデインタレース処理とが、フィールド単位で同期して同一の処理を用いたものとなる。具体的には、図１０に示した比較例とは異なり、図１３中のタイミングｔ１〜ｔ２，ｔ３〜ｔ４の期間（Ｌ用映像，Ｒ用映像間で、検出処理（判定処理）タイミングのずれが生じている期間）においても、Ｌｃｈ，Ｒｃｈで同一種類のデインタレース処理がなされる。これにより、表示部４６により表示される左視用の映像と右視用の映像とにおいて、映像の質感の相違が低減される（好ましくは回避される）。
【００６７】
以上のように本実施の形態では、プルダウン検出部４２Ｌ，４２Ｒにおいて左視用，右視用のプルダウン検出処理を行うと共に、同期制御部４３において、その検出結果信号ＪＬ，ＪＲに基づいて、デインタレース処理部４４Ｌで適用される左視用のデインタレース処理と、デインタレース処理部４４Ｒで適用される右視用のデインタレース処理とが、フィールド単位で同期して同一の処理を用いたものとなるように、デインタレース処理部４４Ｌ，４４Ｒに対する同期制御を行うようにしたので、表示部４６により表示される左視用の映像と右視用の映像とにおいて、映像の質感の相違を低減もしくは回避することができる。よって、立体映像を視認する際の画質の違和感を低減することが可能となり、高画質な立体映像を提供することができる。
【００６８】
また、例えば図１１に示したような同期制御処理およびデインタレース処理を行った場合には、検出結果信号ＪＬ，ＪＲの両方が「フィルム信号である」との判断結果である場合にのみ、Ｌｃｈ，Ｒｃｈの両方においてプルダウン逆変換を用いたデインタレース処理を行うため、図１２に示した場合と比べ、より誤判別が少なく、高画質な映像を得ることができる。
【００６９】
さらに、図１１，図１２に示したような同期制御処理およびデインタレース処理を行った場合には、以下説明する変形例１，２と比べてより厳密な判断となるため、よりストレスの少ないデインタレース処理を行うことが可能となる。
【００７０】
＜２．変形例（変形例１，２）＞
次に、本発明の変形例について説明する。なお、上記実施の形態と同様の構成要素については、同一の符号を付し、適宜説明を省略する。
【００７１】
図１４は、本発明の変形例１に係る立体映像伝送表示システム１Ａの機能ブロック構成を表すものであり、図１５は、本発明の変形例２に係る立体映像伝送表示システム１Ｂの機能ブロック構成を表すものである。これらの立体映像伝送表示システム１Ａ，１Ｂでは、立体映像表示システム３Ａ，３Ｂ内の表示装置４Ａ，４Ｂにおいて、同期制御部４３の代わりに同期制御部４３Ａ，４３Ｂを有していると共に、プルダウン検出部４２Ｌ，４２Ｒのうちの一方を有していない。
【００７２】
具体的には、変形例１に係る立体映像伝送表示システム１Ａでは、表示装置４Ａにおいて、上記実施の形態のプルダウン検出部４２Ｒが設けられておらず、プルダウン検出部４２Ｌのみが設けられている。そして、同期制御部４３Ａでは、このプルダウン検出部４２Ｌによる検出結果信号ＪＬのみに基づいて、デインタレース処理部４４Ｌ，４４Ｒの双方に対して同期制御処理を行っている。
【００７３】
より具体的には、これら同期制御部４３Ａおよびデインタレース処理部４４Ｌ，４４Ｒでは、例えば図１６に示したようにして、同期制御処理およびデインタレース処理を行っている。すなわち、まず、同期制御部４３Ａにおいて、プルダウン検出部４２Ｌからの検出結果信号ＪＬが、「フィルム信号である」との判断結果であるか否かを判断する（ステップＳ３１）。そして、検出結果信号ＪＬが「フィルム信号である」との判断結果である場合には（ステップＳ３１：Ｙ）、Ｌｃｈ，Ｒｃｈの両方において、プルダウン逆変換を用いたデインタレース処理を行う（ステップＳ３２）。一方、検出結果信号ＪＬが「ビデオ信号である」との判断結果である場合には（ステップＳ３１：Ｎ）、Ｌｃｈ，Ｒｃｈの両方において、ビデオ信号用の補間処理を用いたデインタレース処理を行う（ステップＳ３３）。
【００７４】
一方、変形例２に係る立体映像伝送表示システム１Ｂでは、表示装置４Ｂにおいて、上記実施の形態のプルダウン検出部４２Ｌが設けられておらず、プルダウン検出部４２Ｒのみが設けられている。そして、同期制御部４３Ｂでは、このプルダウン検出部４２Ｒによる検出結果信号ＪＲのみに基づいて、デインタレース処理部４４Ｌ，４４Ｒの双方に対して同期制御処理を行っている。
【００７５】
より具体的には、これら同期制御部４３Ｂおよびデインタレース処理部４４Ｌ，４４Ｒでは、例えば図１７に示したようにして、同期制御処理およびデインタレース処理を行っている。すなわち、まず、同期制御部４３Ｂにおいて、プルダウン検出部４２Ｒからの検出結果信号ＪＲが、「フィルム信号である」との判断結果であるか否かを判断する（ステップＳ４１）。そして、検出結果信号ＪＲが「フィルム信号である」との判断結果である場合には（ステップＳ４１：Ｙ）、Ｌｃｈ，Ｒｃｈの両方において、プルダウン逆変換を用いたデインタレース処理を行う（ステップＳ４２）。一方、検出結果信号ＪＲが「ビデオ信号である」との判断結果である場合には（ステップＳ４１：Ｎ）、Ｌｃｈ，Ｒｃｈの両方において、ビデオ信号用の補間処理を用いたデインタレース処理を行う（ステップＳ４３）。
【００７６】
そして、これらの同期制御処理およびデインタレース処理により、変形例１，２では、例えば図１８に示したようにして、左視用，右視用のデインタレース処理がなされる。すなわち、図１８中のタイミングｔ１〜ｔ２，ｔ３〜ｔ４の期間（Ｌ用映像，Ｒ用映像間で、検出処理（判定処理）タイミングのずれが生じている期間）においても、Ｌｃｈ，Ｒｃｈで同一種類のデインタレース処理がなされる。
【００７７】
このようにして変形例１，２においても、上記実施の形態と同様の作用により同様の効果を得ることができる。すなわち、左視用の映像と右視用の映像とにおいて、映像の質感の相違を低減もしくは回避することができるため、立体映像を視認する際の画質の違和感を低減することが可能となり、高画質な立体映像を提供することができる。また、これらの変形例では、プルダウン検出部４２Ｌ，４２Ｒのうちの一方を削除することができるため、上記実施の形態と比べて構成が簡易となり、コストを低減することが可能となる。
【００７８】
なお、これらの変形例では、左視用，右視用のうちの一方だけの判定結果を両方に適用しているため、プルダウン検出の際の判定を厳しめに設定して、誤検出を防ぐようにするのが好ましいといえる。
【００７９】
また、上記実施の形態と同様に、プルダウン検出部４２Ｌ，４２Ｒの双方が設けられている場合において、左視用，右視用のうちの一方だけの判定結果を両方のデインタレース処理に適用するようにしてもよい。
【００８０】
以上、実施の形態および変形例を挙げて本発明を説明したが、本発明はこれらの実施の形態等に限定されず、種々の変形が可能である。
【００８１】
例えば、ビデオ信号からフィルム信号へ切り換わり時と、フィルム信号からビデオ信号へ切り換わり時とにおいて、同期制御の手法を任意に切り換え可能としてもよい。すなわち、ビデオ信号からフィルム信号へ切り換わり時とフィルム信号からビデオ信号へ切り換わり時とにおいて、図１１、１２、１６、１７等の複数種類の同期制御処理のうちの、異なる同期制御処理を行うようにしてもよい。
【００８２】
また、上記実施の形態等では、主に２−３プルダウンおよび２−２プルダウンを例として挙げて説明したが、本発明は、他のプルダウンにも適用することが可能である。
【００８３】
更に、上記実施の形態等では、立体映像伝送表示システムおよび立体映像表示システム内にャッター付メガネが含まれている場合について説明したが、これらのシステム内にシャッター付メガネが含まれないようにしてもよい。
【００８４】
加えて、上記実施の形態等では、立体映像伝送表示システムに用いられる表示装置について説明したが、本発明は、立体映像伝送表示システム以外の他のシステムに用いられる表示装置にも適用することが可能である。
【００８５】
加えてまた、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００８６】
１，１Ａ，１Ｂ…立体映像伝送表示システム、２…送信装置、２１Ｌ，２１Ｒ…撮像部、２２…フィルム信号源、２３…プルダウン処理部、２４…パラシリ変換部、３，３Ａ，３Ｂ…立体映像表示システム、４，４Ａ，４Ｂ…表示装置、４１…シリパラ変換部、４１１…シリパラ分離部、４１２Ｌ，４１２Ｒ，４１３Ｌ，４１３Ｒ，４１４Ｌ，４１４Ｒ…フィールドメモリ、４２Ｌ，４２Ｒ…プルダウン検出部、４３，４３Ａ，４３Ｂ…同期制御部、４４Ｌ，４４Ｒ…デインタレース処理部、４５…表示制御部、４６…表示部、５…シャッター付メガネ、５Ｌ…左視用レンズ，５Ｒ…右視用レンズ、６…視聴者、６Ｌ…左目、６Ｒ…右目、ＶＬｉ，ＶＲｉ…ビデオ（Ｖ）信号、ＦＬｉ，ＦＲｉ，ＦＬｐ、ＦＲｐ…フィルム（Ｆ）信号、Ｄ０ｉ…伝送信号、Ｄ１Ｌｉ，Ｄ１Ｒｉ，Ｄ２Ｌｐ，Ｄ２Ｒｐ…映像信号、ＪＬ，ＪＲ…検出結果信号、ＳＬ，ＳＲ…同期制御信号、ＣＴＬ…制御信号、ＬＬ，ＬＲ…表示光、ｔ１〜ｔ４，ｔ１１〜ｔ１４…タイミング。
【図１】
2010226243.tif 000003
【図２】
2010226243.tif 000004
【図３】
2010226243.tif 000005
【図４】
2010226243.tif 000006
【図５】
2010226243.tif 000007
【図６】
2010226243.tif 000008
【図７】
2010226243.tif 000009
【図８】
2010226243.tif 000010
【図９】
2010226243.tif 000011
【図１０】
2010226243.tif 000012
【図１１】
2010226243.tif 000013
【図１２】
2010226243.tif 000014
【図１３】
2010226243.tif 000015
【図１４】
2010226243.tif 000016
【図１５】
2010226243.tif 000017
【図１６】
2010226243.tif 000018
【図１７】
2010226243.tif 000019
【図１８】
2010226243.tif 000020